(57)【要約】【課題】ＣＳ，ＢＳ右偏波信号に加えてＢＳ左偏波信号を受信しても、２ＧＨｚ帯の移動体向衛星放送信号を混合して１本の信号ケーブルで引き込み、屋内でもＢＳ，ＣＳ信号と共に移動体向衛星放送を良好に受信することを可能とする。【解決手段】衛星信号受信アンテナ１で受信した左偏波信号を９．５７６ＧＨｚのローカル周波数でＩＦ変換すると共に、受信した右偏波信号を１０．６７８ＧＨｚのローカル周波数でＩＦ変換し、双方の受信信号を混合して出力した。この混合した衛星信号に移動体向衛星放送受信アンテナ２で受信した２ＧＨｚ帯の移動体向け音声放送信号を混合して１本の信号ケーブル９ｂで屋内に引き込み、屋内に設けた再送信アンテナ８に接続して２ＧＨｚ帯の移動体向け音声放送信号を再放射した。【選択図】　図１
2004007531.tif 000002
【特許請求の範囲】
【請求項１】
少なくとも左右何れかの偏波信号を出力する第１及び第２の衛星からの信号を受信する右偏波信号受信部及び左偏波信号受信部を有し、受信した右偏波信号が受信した左偏波信号より高い周波数に配列されるように双方の受信信号をＩＦ変換して出力することを特徴とする衛星信号受信アンテナ。
【請求項２】
第１及び第２の衛星からの信号がＢＳ信号及びＣＳ信号であり、受信した右偏波信号を略１０．６７８ＧＨｚのローカル周波数でＩＦ変換すると共に、受信した左偏波信号を略９．５７６ＧＨｚのローカル周波数でＩＦ変換する請求項１記載の衛星信号受信アンテナ。
【請求項３】
ＩＦ変換した右偏波信号とＩＦ変換した左偏波信号とを混合する混合手段を有し、受信信号を１本の信号ケーブルで出力する請求項１又は２記載の衛星信号受信アンテナ。
【請求項４】
２つの信号入力部と２つの信号出力部を有し、一方の信号入力部に入力された信号を略１０．６７８ＧＨｚのローカル周波数でＩＦ変換すると共に、他方の信号入力部に入力された信号を略９．５７６ＧＨｚのローカル周波数でＩＦ変換することを特徴とするコンバータ。
【請求項５】
ＢＳ及びＣＳ信号を受信する右偏波信号受信部及び左偏波信号受信部を有し、受信した右偏波信号を略１０．６７８ＧＨｚのローカル周波数でＩＦ変換すると共に、受信した左偏波信号を略９．５７６ＧＨｚのローカル周波数でＩＦ変換するアンテナ部と、ＩＦ変換した前記受信信号を混合して出力する第１混合手段と、２ＧＨｚ帯或いは１２ＧＨｚ帯の移動体向衛星放送信号を受信して２ＧＨｚ帯の移動体向衛星放送と同一の周波数で出力する移動体向衛星放送受信アンテナと、該アンテナの出力信号と前記第１混合手段からの信号とを混合する第２混合手段と、を備えて成ることを特徴とする衛星信号受信システム。
【請求項６】
移動体向衛星放送受信アンテナの受信する移動体向衛星放送信号が２ＧＨｚ帯の信号であり、前記移動体向衛星放送受信アンテナはＩＦ変換せずに第２混合手段へ受信信号を出力する請求項５記載の衛星信号受信システム。
【請求項７】
ＢＳ及びＣＳ信号を受信する右偏波信号受信部及び左偏波信号受信部を有し、受信した右偏波信号を略１０．６７８ＧＨｚのローカル周波数でＩＦ変換すると共に、受信した左偏波信号を略９．５７６ＧＨｚのローカル周波数でＩＦ変換するアンテナ部と、ＩＦ変換した前記受信信号を混合して出力する第１混合手段と、１２ＧＨｚ帯の移動体向衛星放送信号を受信して、２ＧＨｚ帯にＩＦ変換して出力する移動体向衛星放送受信アンテナと、該アンテナからの出力信号と前記第１混合手段からの信号とを混合する第２混合手段と、該第２混合手段で混合した信号を１本の信号ケーブルで伝送して屋内に引き込み、引き込んだ信号ケーブルに接続して２ＧＨｚ帯の移動体向け衛星受信信号を再放射する再送信アンテナと、を備えて成る衛星信号再送信システム。
【請求項８】
ＢＳ及びＣＳ信号を受信する右偏波信号受信部及び左偏波信号受信部を有し、受信した右偏波信号を略１０．６７８ＧＨｚのローカル周波数でＩＦ変換すると共に、受信した左偏波信号を略９．５７６ＧＨｚのローカル周波数でＩＦ変換するアンテナ部と、ＩＦ変換した前記受信信号を混合して出力する第１混合手段と、２ＧＨｚ帯の移動体向衛星放送信号を受信して、ＩＦ変換せずに出力する移動体向衛星放送受信アンテナと、該アンテナからの出力信号と前記第１混合手段からの信号とを混合する第２混合手段と、該第２混合手段で混合した信号を１本の信号ケーブルで伝送して屋内に引き込み、引き込んだ信号ケーブルに接続して、受信した周波数で再放射する再送信アンテナと、を備えて成る衛星信号再送信システム。
【発明の詳細な説明】
【０００１】
【発明の属する技術分野】
本発明は、移動体向衛星放送（周波数帯域２．６３〜２．６５５ＧＨｚ）を受信して、ＢＳ，ＣＳの衛星信号に混合して１本の信号ケーブルで屋内に引き込み、屋内でも衛星デジタル音声放送信号を受信可能とする技術に関する。
【０００２】
【従来の技術】
携帯情報端末等のモバイル機器を対象とした周波数帯域２．６３〜２．６５５ＧＨｚの移動体向衛星放送である衛星デジタル音声放送が計画されている。また、この衛星デジタル音声放送を受信するモバイル機器としては、例えば特許文献１の図４に示すような受信装置が提案されているが、衛星放送は屋内では電波が弱くなるため、特許文献１に示すようなモバイル機器を屋内に持ち込んで、その衛星デジタル音声放送を受信しようとした場合、良好に受信するためには屋外に衛星デジタル音声放送を受信するアンテナを設置し、その受信信号を信号ケーブルで屋内に引き込んで有線により受信しなければならなかった。
【０００３】
【特許文献１】
特開平１０−３０８９４１号公報
【０００４】
【発明が解決しようとする課題】
しかし、屋外に衛星デジタル音声放送を受信するアンテナを設置して、その受信信号を屋内に引込む場合、信号ケーブルの引き込み作業は面倒であるし、引き込んだ信号ケーブルは屋内の壁等に配設して引回すことになるため見栄えも悪い。また、有線とすることで携帯機器としての機能が損なわれてしまっていた。
【０００５】
そのため、既設のＢＳ，ＣＳ等の衛星信号受信システムのアンテナから屋内に引き込まれている信号ケーブルに衛星デジタル音声放送信号を混合して屋内に伝送して、新たな信号ケーブルの引き込みを無くす方法が考えられるが、ＢＳ，ＣＳ双方の受信信号を１本の信号ケーブルで伝送する受信システムの場合、伝送周波数の周波数スペクトラムは例えば図６に示すように１．０３５〜２．５９０ＧＨｚとなっている。但し、これはＢＳ左偏波信号を含まない場合であり、従来のＢＳ右偏波信号に加えて予定されているＢＳ左偏波信号も受信して伝送しようとした場合、上記構成では伝送周波数帯の上端が３ＧＨｚを超えてしまう。
ところが、衛星デジタル音声放送信号は２．６３〜２．６５５ＧＨｚの周波数であるため、上記従来のＢＳ，ＣＳ信号に加えてＢＳ左偏波も伝送するシステムでは１本の信号ケーブルに衛星デジタル音声放送信号を周波数変換せずに混合して伝送することは難しい。
【０００６】
そこで、本発明は上記問題点に鑑み、ＢＳ，ＣＳの様な左右偏波を有する２つの衛星信号を受信して１本の信号ケーブルで屋内に引込む衛星信号受信システムにおいて、２ＧＨｚ帯の移動体向衛星放送信号を混合して１本の信号ケーブルで引き込み、屋内でも移動体向衛星放送を良好に受信することが可能な衛星信号受信システムを提供すること、またそのシステムに好適な衛星信号受信アンテナ、コンバータ、更には屋内にて引込んだ移動体向衛星放送電波を再放射して、屋内でもモバイル機器により良好な受信が可能な衛星信号再送信システムを提供することを目的とする。
【０００７】
【課題を解決するための手段】
上記課題を解決するため、請求項１に係る衛星信号受信アンテナは、少なくとも左右何れかの偏波信号を出力する第１及び第２の衛星からの信号を受信する右偏波信号受信部及び左偏波信号受信部を有し、受信した右偏波信号が受信した左偏波信号より高い周波数に配列されるように双方の受信信号をＩＦ変換して出力することを特徴とする。
この衛星信号受信アンテナによれば、受信した左偏波信号を周波数軸上で右偏波信号より上方にＩＦ変換するので、衛星信号の左右偏波に重なる周波数帯があっても分離されるので、１本の信号ケーブルで全ての受信信号を伝送することが可能となる。従って、例えば第１衛星及び第２衛星からの信号がＢＳ及びＣＳ信号であって、受信周波数にＢＳ左偏波信号を有していても、１本の信号ケーブルで全ての受信信号を伝送することが可能となる。
また、この際ＩＦ変換するローカル周波数を選択することで、例えば移動体向衛星放送を、ＢＳ左偏波周波数帯とＣＳ左偏波周波数帯のガードバンド内に配置することもでき、１本の信号ケーブルでＢＳ及びＣＳ信号に影響を及ぼすことなく移動体向衛星放送信号を更に混合して伝送することが可能となる。
【０００８】
請求項２の発明は、請求項１に記載の衛星信号受信アンテナにおいて、第１及び第２の衛星からの信号がＢＳ信号及びＣＳ信号であり、受信した右偏波信号を略１０．６７８ＧＨｚのローカル周波数でＩＦ変換すると共に、受信した左偏波信号を略９．５７６ＧＨｚのローカル周波数でＩＦ変換することを特徴とする。
この構成によれば、２．６３〜２．６５５ＧＨｚ帯での移動体向衛星放送があった場合に、ＢＳ左偏波周波数帯とＣＳ左偏波周波数帯のガードバンド内にこの移動体向衛星放送は配置されるので、１本の信号ケーブルでＢＳ及びＣＳ信号に影響を及ぼすことなく移動体向衛星放送信号を混合して良好に伝送することが可能となる。
従って、ＢＳ右偏波信号、ＣＳ左右偏波信号に加えてＢＳ左偏波信号を１本の信号ケーブルで屋内に引込む形態であっても、移動体向衛星放送信号を更にその信号ケーブルに混合して伝送できるので、衛星デジタル音声放送信号を新たに信号ケーブルを引き込むことなく屋内での受信が可能となる。
【０００９】
請求項３の発明は、請求項１又は２記載の発明において、ＩＦ変換した右偏波信号とＩＦ変換した左偏波信号とを混合する混合手段を有し、受信信号を１本の信号ケーブルで出力することを特徴とする。この構成により、アンテナから直接１本の信号ケーブルで全ての受信信号を出力できる。
【００１０】
請求項４の発明に係るコンバータは、２つの信号入力部と２つの信号出力部を有し、一方の信号入力部に入力された信号を略１０．６７８ＧＨｚのローカル周波数でＩＦ変換すると共に、他方の信号入力部に入力された信号を略９．５７６ＧＨｚのローカル周波数でＩＦ変換することを特徴とする。
このコンバータによれば、ＢＳ及びＣＳ信号を受信した場合、周波数軸上でＢＳ右偏波信号，ＣＳ右偏波信号、ＢＳ左偏波信号、ＣＳ左偏波信号の順に高い周波数帯にＩＦ変換するので、ＢＳ及びＣＳ信号を混合して１本の信号ケーブルで伝送することが可能になる。更に、ＩＦ変換したＢＳ右偏波信号とＣＳ右偏波信号の間のガードバンド内に２．６３〜２．６５５ＧＨｚの周波数帯で伝送される衛星デジタル音声放送信号を配置できるので、衛星デジタル音声放送信号も合わせて混合して１本の信号ケーブルで伝送することが可能となる。
【００１１】
ここで、衛星デジタル音声放送信号は、２ＧＨｚ帯の放送以外に、電波が直接届かない不感エリアに対して実施されるギャップフィラー装置を対象として１２ＧＨｚ帯でも同様な放送が実施され、ギャップフィラー装置にて２ＧＨｚ帯に周波数変換されて再放射され、モバイル機器で受信可能としている。そのため、衛星デジタル音声放送は２つの周波数帯にて実施されることになる。
そこで、請求項５の発明に係る衛星信号受信システムは、ＢＳ及びＣＳ信号を受信する右偏波信号受信部及び左偏波信号受信部を有し、受信した右偏波信号を略１０．６７８ＧＨｚのローカル周波数でＩＦ変換すると共に、受信した左偏波信号を略９．５７６ＧＨｚのローカル周波数でＩＦ変換するアンテナ部と、ＩＦ変換した前記受信信号を混合して出力する第１混合手段と、２ＧＨｚ帯或いは１２ＧＨｚ帯の移動体向衛星放送信号を受信して２ＧＨｚ帯の移動体向衛星放送と同一の周波数で出力する移動体向衛星放送受信アンテナと、該アンテナの出力信号と前記第１混合手段からの信号とを混合する第２混合手段と、を備えて成ることを特徴とする。
この衛星信号受信システムによれば、左右偏波のＢＳ及びＣＳ信号に加えて移動体向衛星放送信号である衛星デジタル音声放送信号を１本の信号ケーブルで屋内に引き込むことが可能となり、ＢＳ左偏波或いは衛星デジタル音声放送信号を新たに受信する場合に信号ケーブルを引き込むことなく屋内で受信できる。
【００１２】
請求項６の発明は、請求項５の発明において、移動体向衛星放送受信アンテナの受信する移動体向衛星放送信号が２ＧＨｚ帯の信号であり、前記移動体向衛星放送受信アンテナはＩＦ変換せずに第２混合手段へ受信信号を出力することを特徴とする。
この構成によれば、移動体向衛星放送受信アンテナにコンバータ回路を設ける必要が無く、システムを安価に構成できる。
【００１３】
請求項７の発明に係る衛星信号再送信システムは、ＢＳ及びＣＳ信号を受信する右偏波信号受信部及び左偏波信号受信部を有し、受信した右偏波信号を略１０．６７８ＧＨｚのローカル周波数でＩＦ変換すると共に、受信した左偏波信号を略９．５７６ＧＨｚのローカル周波数でＩＦ変換するアンテナ部と、ＩＦ変換した前記受信信号を混合して出力する第１混合手段と、１２ＧＨｚ帯の移動体向衛星放送信号を受信して、２ＧＨｚ帯にＩＦ変換して出力する移動体向衛星放送受信アンテナと、該アンテナからの出力信号と前記第１混合手段からの信号とを混合する第２混合手段と、該第２混合手段で混合した信号を１本の信号ケーブルで伝送して屋内に引き込み、引き込んだ信号ケーブルに接続して２ＧＨｚ帯の移動体向け衛星受信信号を再放射する再送信アンテナと、を備えて成ることを特徴とする。
【００１４】
この衛星信号再送信システムによれば、１本の信号ケーブルで、ＢＳ，ＣＳ信号に加えて移動体向衛星放送である衛星デジタル音声放送信号を屋内に伝送し、屋内にて衛星デジタル音声放送信号電波を放射するので、屋内でもモバイル機器により衛星デジタル音声放送を受信できる。尚、ここで言う屋内は、住宅等の内部空間に加えて地下街等の閉塞空間も含む。
そして、受信する信号周波数と出力及び送信する周波数が異なるので、双方の電波が混在しても、再放射電波が移動体向衛星放送受信アンテナの受信動作に悪影響を及ぼすようなこともない。また、その際衛星デジタル音声放送信号は、ＢＳ，ＣＳ信号と共に１本の信号ケーブルで引き込まれるので、衛星デジタル音声放送信号のために新たに信号ケーブルを引き込む必要が無く、容易に実施できる。
【００１５】
請求項８の発明に係る衛星信号再送信システムは、ＢＳ及びＣＳ信号を受信する右偏波信号受信部及び左偏波信号受信部を有し、受信した右偏波信号を略１０．６７８ＧＨｚのローカル周波数でＩＦ変換すると共に、受信した左偏波信号を略９．５７６ＧＨｚのローカル周波数でＩＦ変換するアンテナ部と、ＩＦ変換した前記受信信号を混合して出力する第１混合手段と、２ＧＨｚ帯の移動体向衛星放送信号を受信して、ＩＦ変換せずに出力する移動体向衛星放送受信アンテナと、該アンテナからの出力信号と前記第１混合手段からの信号とを混合する第２混合手段と、該第２混合手段で混合した信号を１本の信号ケーブルで伝送して屋内に引き込み、引き込んだ信号ケーブルに接続して、受信した周波数で再放射する再送信アンテナと、を備えて成ることを特徴とする。
【００１６】
この衛星信号再送信システムによれば、ＢＳ，ＣＳ信号に加えて１本の信号ケーブルで移動体向衛星放送信号である衛星デジタル音声放送を屋内に伝送し、屋内にて衛星デジタル音声放送信号電波を放射するので、屋内でもモバイル機器により衛星デジタル音声放送を受信できる。
そして、受信した衛星デジタル音声放送信号をＩＦ変換せずに伝送及び送信するので、コンバータ回路を必要とせず、簡易な回路構成にできるので、安価にシステムを構成でき、外部に再放射電波が漏れることのないエリアに対して好適に適用できる。また、その際衛星デジタル音声放送信号は、ＢＳ，ＣＳ信号と共に１本の信号ケーブルで引き込まれるので、衛星デジタル音声放送信号のために新たに信号ケーブルを引き込む必要が無く、システムの実施が容易である。
【００１７】
【発明の実施の形態】
以下、本発明を具体化した実施の形態を、図面に基づいて詳細に説明する。図１は本発明に係る衛星信号受信システム及び衛星信号再送信システムの１例を示すブロック図であり、１は第１衛星からのＢＳ信号及び第２衛星からのＣＳ信号を受信する衛星信号受信アンテナ、２は移動体向衛星放送信号である衛星デジタル音声放送信号を受信する移動体向衛星放送受信アンテナ、３，４はブースタ、５はフィルタ回路、６は第２混合手段としての混合器、７は分岐器、そして８は受信した信号を再放射する再送信アンテナ、１７は住戸内や地下街等の屋内を示している。
【００１８】
衛星信号受信アンテナ１は、図２のブロック図に示すように、１対の受信プローブ１０とコンバータ部１１と第１混合手段としての混合部１２とから構成され、一対のプローブ１０は左偏波受信用の第１プローブ１０ａ、右偏波受信用の第２プローブ１０ｂから成る。また、コンバータ部１１は、第１局発部１１ａ、第２局発部１１ｂを有し、第１プローブ１０ａで受信した信号と、第２プローブ１０ｂで受信した信号は夫々独立したローカル周波数でＩＦ変換される。また、１３は増幅回路である。
混合部１２は、第１プローブ１０ａ側にハイパスフィルタ１２ａを設け、第２プローブ１０ｂ側にローパスフィルタ１２ｂを設けて混合している。
【００１９】
第１プローブ１０ａで受信された左偏波信号は第１局発部１１ａのローカル周波数９．５７６３８ＧＨｚでＩＦ変換され、第２プローブ１０ｂで受信された右偏波信号は第２局発部１１ｂのローカル周波数１０．６７８ＧＨｚでＩＦ変換される。こうして、図３（ａ）に示す周波数スペクトラムで受信されたＢＳ，ＣＳ信号は図３（ｂ）に示す周波数帯にＩＦ変換され、１本の同軸ケーブルである信号ケーブル９ａに出力されて伝送される。
そして、移動体向衛星放送受信アンテナ２で受信された衛星デジタル音声放送信号は周波数変換されることなくブースタ４で増幅されて出力され、上記ＢＳ，ＣＳ信号と混合されて、図３（ｃ）に示す周波数スペクトラムで屋内に１本の信号ケーブル９ｂで引込まれる。
【００２０】
図３（ｃ）の周波数スペクトラムに示すように、衛星デジタル音声放送信号は２．６３〜２．６５５ＧＨｚの比較的挟帯域であるため、この周波数はＢＳ左偏波信号のハイエンド周波数２．６１１ＧＨｚとＣＳ左偏波信号のローエンド周波数２．６７３ＧＨｚの間のガードバンド内に配置でき、受信周波数にＢＳ左偏波信号を有していても、１本の信号ケーブルでＢＳ及びＣＳ信号に影響を及ぼすことなく衛星デジタル音声放送信号を混合して良好に伝送することができる。
【００２１】
再送信アンテナ８は、２つのバンドパスフィルタ８ａ，８ｂと信号増幅器８ｃを介して屋内で信号ケーブル９ｂに分岐器７を介して接続されている。２つのバンドパスフィルタ８ａ，８ｂは２．６３ＧＨｚ〜２．６６５ＧＨｚの周波数帯の信号を通過させるよう構成され、信号増幅器８ｃはその周波数帯の信号を増幅する。こうして、再送信アンテナ８は、衛星から送信される衛星デジタル音声放送周波数と同一周波数の２．６３ＧＨｚ〜２．６６５ＧＨｚで再放射される。尚、信号増幅器８ｃは信号ケーブル９ｂにより伝送されてきた信号状況により無くすことが可能である。
【００２２】
このように、上記衛星信号受信アンテナは、受信した左偏波信号を周波数軸上で右偏波信号より上方にＩＦ変換するので、衛星信号の左右偏波に重なる周波数帯があっても分離されるので、１本の信号ケーブルで全ての受信信号を伝送することが可能となる。従って、第１衛星及び第２衛星からの信号がＢＳ及びＣＳ信号の場合、受信周波数にＢＳ左偏波信号を有していても、共通する周波数帯がなくなり、１本の信号ケーブルで全ての受信信号を伝送することができる。
そして、その際に左偏波信号は９．５７６３８ＧＨｚでＩＦ変換し、右偏波信号は１０．６７８ＧＨｚでＩＦ変換するので、受信信号にＢＳ左偏波信号を有していても、２．６３〜２．６５５ＧＨｚの衛星デジタル音声放送信号を混合して伝送させることができる。
【００２３】
従って、新たに信号ケーブルを引き込むことなく、衛星デジタル音声放送信号を屋内に引き込むことができるし、衛星デジタル音声放送信号を再放射するので、屋内でもモバイル機器にて屋外と同様に容易に衛星デジタル音声放送を受信できる。尚、引き込んだ信号ケーブルにモバイル機器を直接接続すれば再送信アンテナを設けなくても衛星デジタル音声放送が受信できることは言うまでもない。また、受信した信号を周波数変換せずに伝送及び送信するので、コンバータ回路を必要とせず、衛星信号再送信システムを簡易に構成できるので、外部（特に移動体向衛星放送受信アンテナ設置部）に再放射電波が漏れることのない例えば地下街等のエリアに対して好適である。
【００２４】
図４は上記衛星信号受信アンテナ１のコンバータ部１１及び混合部１２を一体化したコンバータ１４のブロック図を示している。図４に示すように、２つの信号入力部１５ａ，１５ｂ及び１つの信号出力部１６を設け、コンバータ１４に混合部１２を内蔵して形成し、上記図２と同一の構成要素には同一の符号を付してある。
このように、受信プローブを有するアンテナ本体からコンバータ部を独立させて形成しても良く、一方の信号入力部にＢＳ右偏波信号，ＣＳ右偏波信号を入力させ、他方の信号入力部にＢＳ左偏波信号、ＣＳ左偏波信号を入力させれば、周波数軸上でＢＳ右偏波信号，ＣＳ右偏波信号、ＢＳ左偏波信号、ＣＳ左偏波信号の順に高い周波数でＩＦ変換し、混合して１本の信号ケーブルで伝送することが可能になると共に、衛星デジタル音声放送の周波数帯域がＩＦ変換したＢＳ左偏波信号とＣＳ左偏波信号の間のガードバンド内となるので、衛星デジタル音声放送信号も合わせて混合して１本の信号ケーブルで伝送することが可能となる。
【００２５】
尚、上記コンバータは混合回路１２を内蔵しているが、混合回路１２は別体として形成しても良く、その場合コンバータの信号出力部は入力部と同様に２つ設ければよい。
また、上記図１の実施形態は１つのアンテナでＢＳ，ＣＳ双方の衛星信号を受信するシステムについて説明したが、ＢＳ，ＣＳを個別のアンテナで受信して１本の信号ケーブルで伝送するシステムであっても、上記コンバータを用いることで、左偏波信号と右偏波信号の周波数帯を重ならないように分離して１本の信号ケーブルで出力することができるし、更に衛星デジタル音声放送信号を周波数変換することなく混合して伝送することができる。
【００２６】
図５は、衛星信号受信システム及び衛星信号再送信システムの他の形態を示し、その要部である移動体向衛星放送受信装置を示している。図５において、２０は移動体向衛星放送受信アンテナ、２１は信号処理器であり、信号処理器２１の出力は図１に示す混合器６に接続され、ＢＣ，ＣＳ受信信号に混合される。尚、ＢＳ，ＣＳ信号を受信する衛星信号受信アンテナ及び室内の再放射アンテナの構成は図１と同様であり省略してある。
【００２７】
図５の移動体向衛星放送受信アンテナ２０は、図１の移動体向衛星放送受信アンテナ２とは異なり、ギャップフィラー向けに送信されている１２ＧＨｚ帯の信号を受信するよう構成され、２．６３〜２．６５５ＧＨｚの周波数に周波数変換して出力している。この移動体向衛星放送受信アンテナ２０は、同様に１２ＧＨｚ帯で放射されるＣＳ信号を受信する周知のＣＳ受信アンテナをそのまま使用でき、ここではＣＳ受信アンテナを使用した例を示している。そのため、内蔵されるコンバータ回路でＩＦ変換されて１．０〜１．５５ＧＨｚの周波数帯で出力される。
そして、信号処理器２１は、チューナ２２、ＴＤＭ復調器２３、ＣＤＭ変調器２４、出力増幅器２５を有し、ＣＤＭ変調器２４で２．６３〜２．６５５ＧＨｚの周波数に変換されて出力される。
【００２８】
このように、受信する信号周波数と伝送及び再放射する周波数が異なるので、衛星からの電波と再放射電波が混在する例えば一般の住宅ような環境で使用しても、再放射電波が移動体向衛星放送受信アンテナの受信動作に悪影響を及ぼすようなことがなく、良好に再送信でき、室内にてモバイル機器を使用できる。
また、その際衛星デジタル音声放送信号は、ＢＳ，ＣＳ信号と共に１本の信号ケーブルで引き込まれるので、衛星デジタル音声放送信号のために新たに信号ケーブルを引き込む必要が無く、容易に実施できる。
【００２９】
尚、上記実施形態では、第１及び第２衛星（ＢＳ及びＣＳ）から受信した左偏波をＩＦ変換するローカル周波数を１０．６７８ＧＨｚ、右偏波をＩＦ変換するローカル周波数を９．５７６ＧＨｚとして、挟帯域な信号である移動体向衛星放送信号を合わせて伝送可能としているが、左右偏波のガードバンド内に配置可能な信号であれば、ローカル周波数を適当に選択することで移動体向衛星放送信号で無くともＢＳ及びＣＳ受信信号に合わせて１本の信号ケーブルで伝送することができる。
また、移動体向衛星放送受信アンテナにＣＳ受信アンテナを使用することで、大量生産される安価なアンテナを使用でき、コンバータを備えたシステムであってもコスト高にならないようにしているが、１２ＧＨｚ帯から直接２，６３〜２．６５５ＧＨｚに周波数変換する専用のアンテナを用いても良い。
更に、上記実施形態は、第１局発部のローカル周波数を９．５７６３８ＧＨｚ、第２局発部のローカル周波数を１０．６７８ＧＨｚとしているが、上述するようにこの周波数は衛星デジタル音声放送信号の中間周波数をガードバンド内の中央に配置させる周波数であり、衛星デジタル音声放送信号がＢＳ左偏波とＣＳ左偏波の間のガードバンド内に配置されれば双方の信号を混合して伝送することが可能であり、第１及び第２局発部のローカル周波数は上記数値の近傍の周波数でも良い。
【００３０】
【発明の効果】
以上詳述したように、本発明の衛星信号受信アンテナによれば、受信した左偏波信号を受信した右偏波信号より高い周波数にＩＦ変換するので、共通する周波数帯が無くなり、１本の信号ケーブルで全ての受信信号を伝送可能となる。従って、第１及び第２の衛星からの信号がＢＳ及びＣＳ信号である場合に、受信偏波にＢＳ左偏波信号が含まれていても、１本の信号ケーブルで全ての受信信号を伝送できる。
また、右偏波をＩＦ変換するローカル周波数を１０．６７８ＧＨｚ、左偏波をＩＦ変換するローカル周波数を９．５７６ＧＨｚとすることで、２．６３〜２．６５５ＧＨｚの周波数帯を有する衛星デジタル音声放送は、ＢＳ左偏波周波数帯とＣＳ左偏波周波数帯のガードバンド内に配置され、１本の信号ケーブルでＢＳ及びＣＳ信号に影響を及ぼすことなく衛星デジタル音声放送信号も混合して良好に伝送することができる。
従って、ＢＳ右偏波信号、ＣＳ左右偏波信号に加えてＢＳ左偏波信号を１本の信号ケーブルで屋内に引込む形態であっても、衛星デジタル音声放送信号を更にその信号ケーブルに混合して伝送できるので、衛星デジタル音声放送信号を新たに信号ケーブルを引き込むことなく屋内での受信が可能となる。
【００３１】
また、本発明のコンバータによれば、ＢＳ及びＣＳ信号を受信した場合、周波数軸上でＢＳ右偏波信号，ＣＳ右偏波信号、ＢＳ左偏波信号、ＣＳ左偏波信号の順に高い周波数帯にＩＦ変換するので、ＢＳ及びＣＳ信号を混合して１本の信号ケーブルで伝送することが可能になる。更に、ＩＦ変換したＢＳ右偏波信号とＣＳ右偏波信号の間のガードバンド内に２．６３〜２．６５５ＧＨｚの周波数帯で伝送される衛星デジタル音声放送信号を配置できるので、衛星デジタル音声放送信号も合わせて混合して１本の信号ケーブルで伝送することが可能となる。
【００３２】
また、本発明の衛星信号受信システムによれば、左右偏波のＢＳ及びＣＳ信号に加えて衛星デジタル音声放送信号を合わせて１本の信号ケーブルで屋内に引き込むことが可能となり、ＢＳ左偏波或いは衛星デジタル音声放送信号を新たに受信する場合に信号ケーブルを引き込む必要が無く、屋内で容易に受信できる。
【００３３】
更に、本発明の衛星信号再送信システムによれば、ＢＳ，ＣＳ信号に加えて１本の信号ケーブルで衛星デジタル音声放送信号を屋内に伝送し、屋内にて衛星デジタル音声放送信号電波を放射するので、屋内でもモバイル機器により衛星デジタル音声放送を受信できる。また、その際移動体向衛星放送信号は、ＢＳ，ＣＳ信号と共に１本の信号ケーブルで引き込まれるので、移動体向衛星放送信号受信のために新たに信号ケーブルを引き込む必要が無く、システムを容易に実施できる。
そして、特に受信する信号周波数と出力及び送信する周波数が異なる場合は、双方の電波が混在するような環境でも、再放射電波が移動体向衛星放送受信アンテナの受信動作に悪影響を及ぼすようなこともない。
【図面の簡単な説明】
【図１】本発明の実施形態の１例を示す衛星信号受信システム及び衛星信号再送信システムのブロック図である。
【図２】図１に示す衛星信号受信アンテナのブロック図である。
【図３】受信信号の変化を示し、（ａ）はＢＳ，ＣＳ信号の受信周波数スペクトラム、（ｂ）はＢＳ，ＣＳ信号をＩＦ変換した周波数スペクトラムである。（ｃ）はＩＦ変換したＢＳ，ＣＳ信号に衛星デジタル音声放送信号を加えた周波数スペクトラムである。
【図４】本発明のコンバータの１例を示すブロック図である。
【図５】本発明の衛星信号受信システム及び衛星信号再送信システムの他の例を示し、その要部である移動体向衛星放送受信アンテナのブロック図である。
【図６】従来の衛星信号受信アンテナのＩＦ変換した出力信号の１例を示す周波数スペクトラムである。
【符号の説明】
１・・衛星信号受信アンテナ、２・・移動体向衛星放送受信アンテナ、６・・第２混合手段としての混合器、８・・再送信アンテナ、９ａ，９ｂ・・信号ケーブル、１０・・プローブ、１０ａ・・第１プローブ、１０ｂ・・第２プローブ、１１・・コンバータ部、１１ａ・・第１局発部、１１ｂ・・第２局発部、１２・・第１混合手段としての混合部、１５ａ，１５ｂ・・信号入力部、１６・・信号出力部、１７・・屋内、２０・・移動体向衛星放送受信アンテナ、２４・・ＣＤＭ変調器。
【図１】
2004007531.tif 000003
【図２】
2004007531.tif 000004
【図３】
2004007531.tif 000005
【図４】
2004007531.tif 000006
【図５】
2004007531.tif 000007
【図６】
2004007531.tif 000008